(57)【要約】【課題】撚り戻し輪環へのロープまたは釣糸の掛け結びが容易であり、しかも強度、耐久性にも優れた撚り戻しを提供する。【解決手段】一方の輪環１から伸ばした連結軸１ａを他方の輪環２に穿設した穴２ａに挿通し、輪環１と輪環２とが相互に回転出来るようにした撚り戻しにおいて、この撚り戻しの一方の輪環１にロープ７の先端に設けた輪７ａを掛ける掛け止め部材３を設けたものであり、この掛け止め部材３の正面が軸部３ａと二股部３ｂからなるＹ字型であり、その側面は円曲な窪み３ｃを有する略Ｓ字型に形成した。また前記掛け止め部材３の二股部３ｂで輪環１の連結軸１ａを挟持し、その先端フックｆ１を輪環１の上辺枠軸１ｂに回転自在に掛け止めし、軸部３ａ後端のフックｆ２を輪環１の下辺枠軸１ｃに掛け止めするようにした。【選択図】図１
0003126243.tif 000002
【実用新案登録請求の範囲】
【請求項１】
一方の輪環（１）から伸ばした連結軸（１ａ）を他方の輪環（２）に穿設した穴（２ａ）に挿通し、輪環（１）と輪環（２）とが相互に回転出来るようにした撚り戻しにおいて、この撚り戻しの一方の輪環（１）にロープ（７）の先端に設けた輪（７ａ）を掛ける掛け止め部材（３）を設けたことを特徴とするロープまたはハリスなどの撚り戻し。
【請求項２】
前記掛け止め部材（３）の正面が軸部（３ａ）と二股部（３ｂ）からなるＹ字型であり、その側面は円曲な窪み（３ｃ）を有する略Ｓ字型に形成した請求項１記載の撚り戻し。
【請求項３】
前記掛け止め部材（３）の二股部（３ｂ）で輪環（１）の連結軸（１ａ）を挟持し、その先端フック（ｆ１）を輪環（１）の上辺枠軸（１ｂ）に回転自在に掛け止めし、軸部（３ａ）後端のフック（ｆ２）を輪環（１）の下辺枠軸（１ｃ）に掛け止めするようにした請求項１または請求項２記載の撚り戻し。
【請求項４】
前記掛け止め部材（３）のフック（ｆ２）を輪環（１）の下辺枠軸（１ｃ）より引き外して跳ね上げたときに掛け止め部材（３）のフック（ｆ１）の溝（６）が輪環（１）の上辺軸（１ｂ）に設けた爪（５）に掛かって掛け止め部材（３）を落下しないように保持し、そしてロープ（７）の先端輪（７ａ）を窪み（３ｃ）に掛かるようにフック（ｆ２）に通し、ロープ（５）を引くとフック（ｆ２）が下がり、その先端爪（８）が下辺枠軸（１ｂ）の溝（９）に掛け止めされるようにした請求項１または請求項２または請求項３記載の撚り戻し。
【考案の詳細な説明】
【技術分野】
【０００１】
本考案は固定側のロープと牽引側のロープ間に介在させてロープがもつれないようにする撚り戻しに関する。
【背景技術】
【０００２】
従来マグロはえ縄漁では撚り戻し継ぎ手（サルカン）とスナップ型継ぎ手とを併用している。しかしながらスナップ型は連結に要する間、ずっとバネを押し縮めていなければならず、また他のネジ締めは時間を要するという問題があり、細い鋼線をバネに使ったものは腐食しやすく耐久性が無いという問題があった。
【０００３】
かかる撚り戻しに関して下記の特許文献に開示されている。そして何れも回転する輪環にロープまたは釣糸を通して結びつける必要があり手間がかかっていた。
【特許文献１】特開２００２―３４５３７９号公報
【特許文献２】特開２００１―２１１７９２号公報
【特許文献３】特開平８―３０８４５０号公報
【考案の開示】
【考案が解決しようとする課題】
【０００４】
本考案の撚り戻しはかかる不具合を解決するもので輪環へのロープまたは釣糸の掛け結びが容易であり、しかも強度、耐久性にも優れた撚り戻しを提供する。
【課題を解決するための手段】
【０００５】
本考案のロープまたはハリスなどの撚り戻しは、一方の輪環１から伸ばした連結軸１ａを他方の輪環２に穿設した穴２ａに挿通し、輪環１と輪環２とが相互に回転出来るようにした撚り戻しにおいて、この撚り戻しの一方の輪環１にロープ７の先端に設けた輪７ａを掛ける掛け止め部材３を設けた。また前記掛け止め部材３の正面が軸部３ａと二股部３ｂからなるＹ字型であり、その側面は円曲な窪み３ｃを有する略Ｓ字型に形成したことを特徴とする。
【０００６】
前記掛け止め部材３の二股部３ｂで輪環１の連結軸１ａを挟持し、その先端フックｆ１を輪環１の上辺枠軸１ｂに回転自在に掛け止めし、軸部３ａ後端のフックｆ２を輪環１の下辺枠軸１ｃに掛け止めするようにした。また前記掛け止め部材３のフックｆ２を輪環１の下辺枠軸１ｃより引き外して跳ね上げたときに掛け止め部材３のフックｆ１の溝６が輪環１の上辺軸１ｂに設けた爪５に掛かって掛け止め部材３を落下しないように保持し、そしてロープ７の先端輪７ａを窪み３ｃに掛かるようにフックｆ２に通し、ロープ５を引くとフックｆ２が下がり、その先端爪８が下辺枠軸１ｂの溝９に掛け止めされるようにしたこと等を特徴とする。
【考案の効果】
【０００７】
従来の２つの輪環からなる撚り戻しに掛け止め部材を設けたことにより、ロープまたはハリス等の連結、取り外しが誰でも簡単に出来る。またサイズ、材質を変えれば定置網作製時の撚り戻し、ペットや家畜等の繋ぎ止め用ロープの撚り戻し、釣り用テグスの撚り戻しなど色々な撚り戻しとして使うことが出来る。
【考案を実施するための最良の形態】
【０００８】
２本のロープ間に介在し、２つの輪環１、２からなる撚り戻しであって、その一方が他方に対して回動出来るようになっており、一方の輪環１にロープまたはハリス先端の輪を掛け止め出来る掛け止め部材３を取付けて輪環１へのロープ結びを容易にした。
【実施例１】
【０００９】
本考案のロープ又はハリスの撚り戻しの好適なひとつの実施例を以下、図面に基づき説明する。図１に示すように２本のロープまたはテグス間に介在してその相互を連結する撚り戻しは、２つの輪環１、２で構成され、その一方が他方に対して回動出来るようになっている。すなわち略四角形な輪環１の上辺中央から伸ばした連結軸１ａを略三角形な輪環２の底辺中央に穿設した穴２ａに挿通し、その先端をつぶして連結し、輪環１と輪環２とが相互に回転出来るようにした構成は従来の撚り戻しと同様である。本考案のポイントは、この撚り戻しの一方の輪環１にロープまたはハリス先端の輪を簡単に掛け止め出来る掛け止め部材３を取付けたことにある。
【００１０】
この掛け止め部材３は、図１に示すように正面から見ると略Ｙ字型で真直ぐな軸部３ａと、その先のふたつに分岐した二股部３ｂから成り、その側面は図２のように略中央を窪ませたＳ字型に屈曲させてある。二股部３ｂの先はそれぞれ内側に丸く曲げられたフックｆ１になっている。そして二股部３ａで前記輪環１の連結軸１ａを挟み込み、その先端の内側に丸く曲げられたフックｆ１を輪環１の上辺軸１ｂに回転自在に掛け止めする。また真直ぐな軸部３ａの後端は、同様に内側に丸く曲げたフックｆ２形状になっており、このフックｆ２は輪環１の下辺軸１ｃに掛け止め出来るようになっている。
【００１１】
この撚り戻しを漁具用の結索ロープ４として使用する場合は、船側に結びつけたロープ４の先を輪環２に結びつける。そして他方の輪環１に取付けた掛け止め部材３を図３のようにフックｆ１の溝６が上辺枠軸１ｂに設けた爪５に掛かるまで跳ね上げて落ちないように固定し、他方の漁具に結ぶロープ７の先に設けた輪７ａを窪み３ｃに掛かるようにフックｆ２に通し、ロープ７を引くと掛け止め部材３は上辺枠軸１ｂを支点とし回転し、フックｆ２は下がり、その先端爪８が下辺枠軸１ｃの溝９に掛け止めされる。(図４) 
【産業上の利用可能性】
【００１２】
以上のように本考案撚り戻しを用いれば釣用のロープ及びハリスの連結、取り外しが容易であり、使用目的に応じてサイズを変えればマグロ漁の撚り戻し、ペットや家畜等を繋ぎとめるための撚り戻しとしても利用できる。
【図面の簡単な説明】
【００１３】
【図１】本考案の撚り戻しにロープを結んだ状態の斜視図である。
【図２】掛け止め部材３の側面図である。
【図３】掛け止め部材３を輪環１から引き外した状態図である。
【図４】撚り戻しにロープを結んだ状態の正面図である。
【符号の説明】
【００１４】
１  輪環
１ａ  連結軸
２  輪環
２ａ  穴
３  掛け止め部材
３ａ  軸部
３ｂ  二股部
３ｃ  窪み
ｆ１  フック
ｆ２  フック
４  ロープ
５  上辺枠軸１ｂに設けた爪
６  フックｆ１の溝
７  ロープ
８  フックｆ２の爪
９  下辺枠軸１ｃの溝
【図１】
0003126243.tif 000003
【図２】
0003126243.tif 000004
【図３】
0003126243.tif 000005
【図４】
0003126243.tif 000006